(57)【要約】本発明は、とりわけ再書き込み可能な光記録担体のような記録担体上の欠陥のある記憶ユニットを管理する方法及び対応する装置に関する。欠陥のある記憶ユニットの前又は後に位置する記憶ユニットにアクセスするときのドライブの同期エラーを回避するため、本発明によれば、実際の欠陥のある記憶ユニット（Ｕ１）のみならず、該欠陥のある記憶ユニット（Ｕ１）の前及び／又は後に位置する１以上の記憶ユニット（Ｕ２乃至Ｕ５）もまた、欠陥のあるものとしてマッピングすることが提案される。
2006503392.tif 000002
【特許請求の範囲】
【請求項１】
とりわけ再書き込み可能な光記録担体のような記録担体上の欠陥のある記憶ユニットを管理する方法において、
欠陥のある記憶ユニットを意味する第１のユーザ記憶ユニットに保存された又は保存されるべき第１のユーザデータを、第１の代替記憶ユニットに保存するステップと、
前記欠陥のある記憶ユニットを意味する前記第１のユーザ記憶ユニットの前及び／又は後に位置する第２のユーザ記憶ユニットに保存された又は保存されるべき第２のユーザデータを、第２の代替記憶ユニットに保存するステップと、
前記第１及び第２のユーザデータにアクセスするために用いられるべき、欠陥のある記憶ユニットのリストに、前記第１及び第２のユーザ記憶ユニットのアドレスエントリの代わりに、前記第１及び第２の代替記憶ユニットのアドレスエントリを保存するステップと、
を有する方法。
【請求項２】
前記第１及び第２の代替記憶ユニットは欠陥エリアに配置される、請求項１に記載の方法。
【請求項３】
前記記憶ユニットは、セクタ又は記憶ブロック、とりわけＥＣＣブロックである、請求項１に記載の方法。
【請求項４】
欠陥のある記憶ユニットを意味する前記第１のユーザ記憶ユニットの前及び／又は後に位置する前記第２のユーザ記憶ユニットに保存された又は保存されるべき第２のユーザデータが、第２の代替記憶ユニットに保存される、請求項１に記載の方法。
【請求項５】
前記第２の代替記憶ユニットは、前記第１の代替記憶ユニットの前及び／又は後に位置する、請求項１に記載の方法。
【請求項６】
とりわけ再書き込み可能な光記録担体のような記録担体上の欠陥のある記憶ユニットを管理する装置において、
欠陥のある記録ユニットを意味する第１のユーザ記憶ユニットに保存された又は保存されるべき第１のユーザデータを第１の代替記憶ユニットに保存し、前記欠陥のある記憶ユニットを意味する前記第１のユーザ記憶ユニットの前及び／又は後に位置する第２のユーザ記憶ユニットに保存された又は保存されるべき第２のユーザデータを第２の代替記憶ユニットに保存するデータ保存手段と、
前記第１及び第２のユーザデータをアクセスするために用いられるべき、欠陥のある記憶ユニットのリストに、前記第１及び第２のユーザ記憶ユニットのアドレスエントリの代わりに、前記第１及び第２の代替記憶ユニットのアドレスエントリを保存するアドレス保存手段と、
を有する装置。
【請求項７】
とりわけ再書き込み可能な光記録担体のような記録担体にデータを記録する記録機器であって、請求項６に記載の、欠陥のある記憶ユニットを管理する装置を有する記録機器。
【請求項８】
とりわけ再書き込み可能な光記録担体のような記録担体であって、
欠陥のある記憶ユニットを意味する第１のユーザ記憶ユニットに保存されるべき第１のユーザデータを保存するための第１の代替記憶ユニットと、
前記欠陥のある記憶ユニットを意味する前記第１のユーザ記憶ユニットの前及び／又は後に位置する第２のユーザ記憶ユニットに保存されるべき第２のユーザデータを保存するための第２の代替記憶ユニットと、
前記第１及び第２のユーザ記憶ユニットのアドレスエントリの代わりに、前記第１及び第２の代替記憶ユニットのアドレスエントリを保存するための、前記第１および第２のユーザデータにアクセスするために用いられるべき、欠陥のある記憶ユニットのリストと、
を有する記録担体。
【請求項９】
コンピュータプログラムであって、前記コンピュータプログラムがコンピュータ上で動作するときに、請求項１に記載の方法のステップをコンピュータに実行させるコンピュータプログラム手段を有するコンピュータプログラム。
【発明の詳細な説明】
【技術分野】
【０００１】
本発明は、とりわけ再書き込み可能な光記録担体のような記録担体上の欠陥のある記憶ユニットを管理する方法に関する。更に本発明は、対応する装置、記録機器、記録担体及び前記方法を実施化するコンピュータプログラムに関する。
【背景技術】
【０００２】
欠陥のあるセクタを管理する手段を持つ、消去可能な光ディスク及び光情報記録及び再生機器は、欧州特許出願公開EP0272029A2に開示されている。該光ディスクは複数のトラックブロックを有する。各前記複数のトラックブロックは、データを記録するためのデータセクタ、前記データセクタのうちの欠陥のあるものの代用となる代替セクタ、及びマッピングデータを記録するための少なくとも１つのマッピングセクタを有する。前記マッピングデータは、前記欠陥のあるセクタと前記欠陥のあるセクタの代用となる前記代替セクタとの間のアドレス対応関係を表す。マッピングデータは、データ再生又はデータ再書き込みの時点において、同一のブロック中のマッピングセクタに記録される。前記代替セクタのアドレス情報は、前記代替セクタが属するブロックのマッピングセクタから検出され、それにより高速に前記代替セクタからデータが再生され、又は前記代替セクタにデータが再書き込みされる。
【発明の開示】
【発明が解決しようとする課題】
【０００３】
とりわけＤＶＤ＋ＲＷのような再書き込み可能な光記録担体において、欠陥が非常に重大なものとなりサーボエラーを引き起こし得、依然として「凍結した（iced）」即ちデータが未だ記録されていない、ＥＣＣブロックのような記憶ユニット即ちセクタ（アクセスブロック）又は記憶ブロックをドライブにマッピングさせ得ることが見出されている。この状況において、記録可能なディスク面の分子が全て同一の状態、即ち「凍結した」状態と呼ばれる「結晶」状態を持つ。既知の方法によれば、欠陥のある記憶ユニットのみがマッピング記憶ユニット又は欠陥のある記憶ユニットのリストにマッピングされるため、重大なエラーの場合には、とりわけＤＶＤ−ＲＯＭドライブのようなドライブは、前記欠陥のある記憶ユニットのエラーを越えてトラッキングした後に、前記欠陥のある記憶ユニットに後続する次の記憶ユニットを読み取るのに十分に高速に同期を回復することができないということが起こる。
【０００４】
従って本発明の目的は、欠陥のある記憶ユニットを越えてトラッキングした後にドライブが同期状態となることを可能とする方法及び対応する装置を提供することにある。更に対応する記録担体及び前記方法を実施化するためのコンピュータプログラムが提供される。
【課題を解決するための手段】
【０００５】
本目的は、
欠陥のある記憶ユニットを意味する第１のユーザ記憶ユニットに保存された又は保存されるべき第１のユーザデータを、第１の代替記憶ユニットに保存するステップと、
前記欠陥のある記憶ユニットを意味する前記第１のユーザ記憶ユニットの前及び／又は後に位置する第２のユーザ記憶ユニットに保存された又は保存されるべき第２のユーザデータを、第２の代替記憶ユニットに保存するステップと、
前記第１及び第２のユーザデータにアクセスするために用いられるべき、欠陥のある記憶ユニットのリストに、前記第１及び第２のユーザ記憶ユニットのアドレスエントリの代わりに、前記第１及び第２の代替記憶ユニットのアドレスエントリを保存するステップとを有する、請求項１に記載の方法によって、本発明により達成される。
【０００６】
本目的は更に、
【０００７】
欠陥のある記録ユニットを意味する第１のユーザ記憶ユニットに保存された又は保存されるべき第１のユーザデータを第１の代替記憶ユニットに保存し、前記欠陥のある記憶ユニットを意味する前記第１のユーザ記憶ユニットの前及び／又は後に位置する第２のユーザ記憶ユニットに保存された又は保存されるべき第２のユーザデータを第２の代替記憶ユニットに保存するデータ保存手段と、
前記第１及び第２のユーザデータをアクセスするために用いられるべき、欠陥のある記憶ユニットのリストに、前記第１及び第２のユーザ記憶ユニットのアドレスエントリの代わりに、前記第１及び第２の代替記憶ユニットのアドレスエントリを保存するアドレス保存手段とを有する、請求項６に記載の装置によって達成される。
【０００８】
欠陥のある記憶ユニットを管理するかような装置を有する記録担体にデータを記録する記録機器は、請求項７に記載される。対応する記録担体、とりわけ記録可能な光記録担体は、請求項８に記載される。本発明による方法を実施化するためのコンピュータプログラムは、請求項９に定義される。本発明の好適な実施例は、従属請求項において定義される。
【０００９】
本発明は、欠陥のある記憶ユニットのみを欠陥のあるものとしてマッピングするのではなく、欠陥のある記憶ユニット即ち第１のユーザ記憶ユニットに後続する又は前に位置する１以上の記憶ユニット、又は複数の連続する欠陥のある記憶ユニットをもマッピングするという着想に基づくものである。これにより、ドライブは、第２の記憶ユニットと呼ばれるこれらの記憶ユニットから内容を読み取る必要がなく、前記欠陥のある記憶ユニットのリスト中にマッピングされた対応する第２の記憶ユニットから内容を読み取れば良いということを確実にする。欠陥に続くデータを読み取るために、前記ドライブは、該ドライブが読むことを所望するユーザ記憶ユニットの幾つか前の記憶ユニットにおいて、該ドライブのレーザを「スイッチオン」する必要がある。前記ドライブが重大な欠陥を通過したときに前記レーザがスイッチオンされる場合には、位相ロックループ（ＰＬＬ）がロックされず、該ドライブが読み取る必要のあるデータの前に同期エラーを引き起こしてしまう。
【００１０】
例えばＤＶＤについての特定の実施例によれば、デコーダは、依然として内部バッファにあるブロックＮ−１を読み取るためにブロックＮを読み取ったときに生成されるクロックを利用する。それ故、欠陥のあるものとして検出された記憶ユニットの前に位置する１以上の記憶ユニットもマッピングすることが提案される。
【００１１】
好適な実施例によれば、例えば光記録担体のリードイン領域とリードアウト領域との間に配置されたデータ領域に、特別な欠陥エリアが備えられ、該エリアには第１及び第２の代替記憶ユニットが配置される。当該欠陥エリアは、とりわけ前記データ領域のユーザ記憶ユニットに元来保存されていた又は保存されるはずであったユーザデータのみを保存するために特別に確保されたエリアである。前記欠陥のある記憶ユニットのリストは通常、前記データ自体とは別の前記欠陥エリアのセクションに保存される。
【００１２】
一実施例によれば単一のセクタがマッピングされるが、他の実施例によれば単一のセクタのみならず、例えば欠陥のあるＥＣＣブロックのような欠陥のある記憶ユニットの前及び／又は後に位置する１以上のＥＣＣブロック全体が、第２の代替記憶ユニット、とりわけ第２の代替ＥＣＣブロックに保存される。更に、同一のシーケンスの記憶ユニット中のデータは、該データがユーザ記憶ユニットに保存されていた又は保存されるはずであったように、代替記憶ユニットに保存することが好ましい。
【発明を実施するための最良の形態】
【００１３】
本発明は、図を参照しながら以下より詳細に説明される。
【００１４】
図１は、とりわけＤＶＤ＋ＲＷにおける、光記録担体上のメモリの種々の領域を示す。一般に、光記録担体は、とりわけ管理データを保存するためのリードイン領域、ユーザデータを保存するためのデータ領域、及び管理データを保存するためのリードアウト領域を持つ。リードイン領域には、対にされた物理アドレスを保存する、欠陥のある記憶ユニットのリストＤＳＬがある。前記対のうち第１のアドレスは、前記データ領域のユーザエリアＵＡにおけるアドレスであり、第２のアドレスは、前記データ領域の欠陥エリアＳＡにおけるアドレスである。前記欠陥のある記憶ユニットのリストＤＳＬ中の対にされたアドレスは、欠陥エリアＳＡ中の記憶ユニット即ち記憶ブロック（ＥＣＣブロック）が、これと対をなすユーザエリアＵＡ中の記憶ユニットの代わりにアクセスされるべきであることを示す。要するに、ユーザエリアＵＡ中の記憶ユニットが、欠陥エリアＳＡにマッピングされている。マッピングは主として、ユーザエリアＵＡ中の欠陥のある記憶ユニットが遭遇されたときに行われる。記憶ユニットは、正常でない読み取り動作が発生した後に、欠陥があるものとしてみなされる。
【００１５】
本発明は、ここで図２を参照しながら説明される。図２は、前記方法のフロー図である。ステップＳ１は、特定のユーザ記憶ユニットにアクセスし、該記憶ユニットに保存されたユーザデータを読み取るために、又は該記憶ユニットにユーザデータを記録するための、読み取り又は記録動作を表す。前記動作が正常であった場合（Ｓ２）、次の読み取り又は記録動作が実行される（Ｓ１）。しかしながら、前記読み取り又は記録動作が正常でなかった場合（Ｓ２）、アクセスされるはずであった前記ユーザ記憶ユニットが、欠陥のある記憶ユニットとしてみなされる（Ｓ３）。次のステップＳ４において、欠陥のある記憶ユニットとして検出されたユーザ記憶ユニットＵ１は、それに応じてマークされる。しかしながら、同期エラーを回避するために、実際の欠陥のある記憶ユニットＵ１の前の１以上のユーザ記憶ユニット（Ｕ４、Ｕ５）及び後の１以上のユーザ記憶ユニット（Ｕ２、Ｕ３）もまた、欠陥のある記憶ユニットとしてマークされる。これにより、ドライブが同期エラーを引き起こし得るこれらの記憶ユニットへのアクセスを試みることを回避する。
【００１６】
欠陥のある記憶ユニットとしてマークされたユーザ記憶ユニットＵ１乃至Ｕ５に既に保存されたデータ、又はこれらユニットに保存されるはずであったユーザデータは、次いで欠陥エリアＳＡ２に配置された代替記憶ユニットＡ１乃至Ａ５に保存される。欠陥エリアＳＡ２には、欠陥のあるユーザ記憶ユニットＵ１乃至Ｕ５が本例においてはマッピングされる（Ｓ５）。
【００１７】
代替記憶ユニットＡ１乃至Ａ５のアドレスは次いで、欠陥のある記憶ユニットのリストＤＳＬにエントリ入力され、かくして元のユーザ記憶ユニットＵ１乃至Ｕ５ではなく代替の記憶ユニットＡ１乃至Ａ５がドライブによってアクセスされるべきであることを示す（ステップＳ６）。
【００１８】
従来は欠陥のある記憶ユニット自体（Ｕ１）のみがマッピングされたが、本発明によれば欠陥のない記憶ユニットも前記欠陥エリアにマッピングされ、前記記録担体にアクセスするドライブのための「ランイン（run-in）」及び「ランアウト（run-out）」領域を提供する。これにより、同期エラーは生じず、欠陥のある記憶ユニットの直前又は直後に位置する記憶ユニットに保存されたユーザデータが正常に読み取られる。
【００１９】
「ランイン」領域は、ＥＦＭデコーダが同期状態に入るために利用することができるダミーデータの領域とみなすことができる。このことは、ＥＦＭコードが自身のクロック情報を含むため必要とされる。このことは、ＥＦＭコードを読み取りデコードするためには、クロックが動作しており前記データと同期状態になくてはならないことを意味する。このことは、クロックを同期状態にするためには時間を費やすために、ＥＦＭデータのまさに最初のシーケンスは読み出され得ないことを意味する。更に、「ランアウト」領域は、ＥＦＭデコードが停止したときの、データの適切な処理を保証する。さもなければ、既に読み取られたデータは正常に処理されない。なぜなら、前記データは後続するデータを持たず、前記データを処理するためのクロックは前記ＥＦＭから導出されるからである。
【００２０】
本発明によれば、単一の又は複数の連続する欠陥のある記憶ユニットの前に位置する、１以上の正常なユーザ記憶ユニット、とりわけセクタ又はより好ましくは記憶ブロックもまた、欠陥のある記憶ユニットとしてマークされ、欠陥エリアにマッピングされる。欠陥のある記憶ユニットの前又は後の、マッピングされるべき正常なユーザ記憶ユニットの数は、前記欠陥のサイズに依存する。単一のセクタのみならず、それぞれが例えば１６セクタのような幾つかのセクタを含む１以上のＥＣＣブロック全体もまたマッピングされる。
【図面の簡単な説明】
【００２１】
【図１】光記録担体の種々の領域のレイアウトを示す。
【図２】本発明による方法を示すフロー図である。
【図１】
2006503392.tif 000003
【図２】
2006503392.tif 000004
【国際調査報告】
2006503392.tif 000005
2006503392.tif 000006
2006503392.tif 000007